(57)【要約】【課題】安全であり、かつ泡立ちや液垂れがしにくく、スプレーとして良好な使用感を有する食品機械用グリーススプレー、及びその製造方法の提供。【解決手段】ステアリン酸カルシウム、液状の食用油、及びエタノールを含有する可食原料のみからなる組成物とガスとからなり、ステアリン酸カルシウムと液状の食用油との含有量比（質量）が１：１．１〜１：２．５の範囲内であり、ステアリン酸カルシウム及び液状の食用油の和とエタノールとの含有量比（質量）が１：０．２〜１：１の範囲内であることを特徴とする、食品機械用グリーススプレー。【選択図】なし【特許請求の範囲】
【請求項１】
ステアリン酸カルシウム、液状の食用油、及びエタノールを含有する可食原料のみからなる組成物とガスとからなり、
ステアリン酸カルシウムと液状の食用油との含有量比（質量）が１：１．１〜１：２．５の範囲内であり、ステアリン酸カルシウム及び液状の食用油の和とエタノールとの含有量比（質量）が１：０．２〜１：１の範囲内であることを特徴とする、食品機械用グリーススプレー。
【請求項２】
前記ガスが、炭酸ガス、窒素ガス、亜酸化窒素ガス、及びＬＰガスからなる群より選ばれる１種以上を含有し、前記可食原料のみからなる組成物とガスとの含有量比（質量）が１：１．２〜１：２．２の範囲内である、請求項１に記載の食品機械用グリーススプレー。
【請求項３】
前記液状の食用油が、中鎖脂肪酸トリグリセリドである、請求項１又は２に記載の食品機械用グリーススプレー。
【請求項４】
ステアリン酸カルシウムと液状の食用油とエタノールとを、ステアリン酸カルシウムと液状の食用油との含有量比（質量）が１：１．１〜１：２．５の範囲内であり、ステアリン酸カルシウム及び液状の食用油の和とエタノールとの含有量比（質量）が１：０．２〜１：１の範囲内であるように含有する可食原料のみからなる組成物を、５０℃以下で混合した後、ガスと共に容器に充填することを特徴とする、食品機械用グリーススプレーの製造方法。
【発明の詳細な説明】
【技術分野】
【０００１】
本発明は、可食原料とガスのみからなる、安全な食品機械用グリーススプレー、及びその製造方法に関するものである。
【背景技術】
【０００２】
食品の加工等に使用される機械類（食品機械）に用いられるグリース等の潤滑剤としては、安全性の高いものが要求される。食品機械に付着した潤滑剤は、当該機械により製造される飲食品へと混入するおそれが否定できないためである。このため、食品機械用の潤滑剤の原料としては、動植物油や流動パラフィン等の食用や医療用としても使用されている原料が好まれている。例えば、特許文献１には、飽和脂肪酸トリグリセリドを基油とし、炭素数１２〜２２の脂肪酸を０．００１〜５質量％配合した食品機械用潤滑油組成物が開示されている。
【０００３】
飽和脂肪酸トリグリセリドは、安全性に優れているのみならず、酸化安定性が高く、流動性も良好である。このため、霧状に均質に噴霧するために高い流動性が要求されるスプレー油としても好ましい。例えば、特許文献２には、噴霧塗布用液状油において、特定の配合比で植物油と中鎖脂肪酸トリグリセライドを混合してなる調合油と窒素ガスとを組み合わせることにより、食用油固有の風味や性質を損なわず、調理器具や食品・食材に均質に噴霧できることが開示されている。
【先行技術文献】
【特許文献】
【０００４】
【特許文献１】特開平２−２０９９９５号公報
【特許文献２】特開２００１−１７８３６４号公報
【発明の概要】
【発明が解決しようとする課題】
【０００５】
グリースは半固体状であり、ヘラ等で塗布することが一般的であるが、より簡便に塗布できるスプレータイプも好まれている。
しかしながら、安全であり、かつ泡立ちや液垂れの点でもスプレーとして好適な性質を備えるグリーススプレーは、従来なかった。
【０００６】
本発明の目的は、安全であり、かつ泡立ちや液垂れがしにくく、スプレーとして良好な使用感を有する食品機械用グリーススプレー、及びその製造方法を提供することである。
【課題を解決するための手段】
【０００７】
本発明者らは、上記課題を解決するために鋭意検討を重ねた結果、ガス以外の原料として可食原料のみを用いることにより、安全な食品機械用グリーススプレーが得られること、また、可食原料として、ステアリン酸カルシウム、液状の食用油、及びエタノールを特定の含有量比で用いることにより、泡立ちや液垂れがしにくい、優れたグリーススプレーが得られることを見出し、本発明を完成するに至った。
【０００８】
すなわち、本発明に係る食品機械用グリーススプレー及びその製造方法は、下記（１）〜（４）である。
（１）  ステアリン酸カルシウム、液状の食用油、及びエタノールを含有する可食原料のみからなる組成物とガスとからなり、
ステアリン酸カルシウムと液状の食用油との含有量比（質量）が１：１．１〜１：２．５の範囲内であり、ステアリン酸カルシウム及び液状の食用油の和とエタノールとの含有量比（質量）が１：０．２〜１：１の範囲内であることを特徴とする、食品機械用グリーススプレー。
（２）  前記ガスが、炭酸ガス、窒素ガス、亜酸化窒素ガス、及びＬＰガスからなる群より選ばれる１種以上を含有し、前記可食原料のみからなる組成物とガスとの含有量比（質量）が１：１．２〜１：２．２の範囲内である、前記（１）の食品機械用グリーススプレー。
（３）  前記液状の食用油が、中鎖脂肪酸トリグリセリドである、前記（１）又は（２）の食品機械用グリーススプレー。
（４）  ステアリン酸カルシウムと液状の食用油とエタノールとを、ステアリン酸カルシウムと液状の食用油との含有量比（質量）が１：１．１〜１：２．５の範囲内であり、ステアリン酸カルシウム及び液状の食用油の和とエタノールとの含有量比（質量）が１：０．２〜１：１の範囲内であるように含有する可食原料のみからなる組成物を、５０℃以下で混合した後、ガスと共に容器に充填することを特徴とする、食品機械用グリーススプレーの製造方法。
【発明の効果】
【０００９】
本発明によれば、食品機械に対して安全に使用することができ、かつ泡立ちや液垂れがしにくい、使用感に優れた食品機械用グリーススプレーを、簡便に提供することができる。
【発明を実施するための形態】
【００１０】
本願明細書において、グリーススプレーの「泡立ち」とは、噴霧されたグリースからガスが気化する際に形成される凹凸の生じやすさを意味する。グリーススプレーとしては、泡立ちは少ないほうが好ましい。また、本願明細書において、グリーススプレーの「飛び散り」とは、噴霧した際の、目的の範囲以外へのグリースの飛散を意味する。グリーススプレーとしては、飛び散りは少ないほうが好ましい。また、本願明細書において、グリーススプレーの「液垂れ」とは、垂直な壁に噴霧した場合のグリースの垂れやすさを意味する。グリーススプレーとしては、液垂れは少ないほうが好ましい。
【００１１】
本発明に係る食品機械用グリーススプレー（以下、単に「グリーススプレー」ということがある。）は、可食原料のみからなる組成物（以下、単に「可食性組成物」ということがある。）とガスとからなることを特徴とする。このため、本発明に係るグリーススプレーは、食品機械に対して極めて安全に使用できる。
【００１２】
本発明に係るグリーススプレーにおける可食性組成物は、ステアリン酸カルシウム、液状の食用油、及びエタノールを特定の割合で含有する。ステアリン酸カルシウムは、使用基準のない安全な食品添加物であり、本発明においては増ちょう剤として使用する。
【００１３】
本発明に係るグリーススプレーの原料として使用されるステアリン酸カルシウムの形状としては、液状の食用油中での分散性が良好であることから、粉体であることが好ましく、最大粒径が１ｍｍ以下の微粒子であることがより好ましい。中でも、容器内に充填された状態において、ステアリン酸カルシウムがより沈降しにくく、また、噴射した時にムラになりにくく、噴射物であるグリースがざらつかないことから、最大粒径が５００μｍ以下であり、平均粒径が１〜５０μｍのものが特に好ましい。本発明に係るグリーススプレーに使用されるステアリン酸カルシウムとしては、食品添加物として市販されているものをそのまま使用することができる。なお、ステアリン酸カルシウムの粒径は、例えば、レーザー回折・散乱式粒度分析計を用いて常法により測定することができる。
【００１４】
本発明に係るグリーススプレーにおいては、ステアリン酸カルシウムは、液状油中に分散された状態で含有されている。液状油中のステアリン酸カルシウムは、従来のグリースに含有されている金属石けんのような繊維状とは異なり、粒子又はその凝集体として存在している。このため、本発明に係るグリーススプレーは、粘度が比較的低く、液状油とエタノールに易分散するため、均一に噴霧しやすい。
【００１５】
本発明に係るグリーススプレーの原料として使用される液状の食用油は、可食性であって、グリーススプレーの使用温度において液状である油であればよい。例えば、２０℃で液状の食用油であることが好ましく、５℃で液状の食用油であることがより好ましい。当該食用油としては、例えば、食品や食品添加物として指定されている植物油や動物油、合成油、半合成油を使用することができる。具体的には、大豆油、菜種油、ごま油、コーン油、麺実油、紅花油、オリーブ油、ヒマワリ油、落花生油、米油、パーム油、ヤシ油、アマニ油、ツバキ油、茶油、牛脂、豚脂、イワシ油、ニシン油、これらの油の液状分別油、微水添油、これらの油のエステル交換油、これらの油と脂肪酸やグリセリン、グリセリン脂肪酸エステルとのエステル交換油、脂肪酸とグリセリンの合成油等が挙げられる。前記液状の食用油は、１種類のみであってもよく、２種類以上を混合してもよい。
【００１６】
本発明に係るグリーススプレーに使用される液状の食用油としては、酸化安定性と流動性に優れていることから、中鎖脂肪酸残基を含むトリグリセリドが好ましく、中鎖脂肪酸トリグリセライド（炭素数６〜１２の脂肪酸とグリセリンからなるトリグリセライド）又は中長鎖脂肪酸トリグリセライド（炭素数６〜１２の脂肪酸と炭素数１３以上の脂肪酸とグリセリンからなるエステル）であることが好ましく、中鎖脂肪酸トリグリセライドであることがより好ましい。中鎖脂肪酸トリグリセライドは、合成油であってもよく、中鎖脂肪酸トリグリセライド含有量の多い植物油を用いることも好ましい。
【００１７】
脂肪酸トリグリセライドの原料となる炭素数６〜１２の脂肪酸としては、具体的には、カプロン酸（ヘキサン酸）、カプリル酸（オクタン酸）、カプリン酸（デカン酸）、ラウリン酸（ドデカン酸）が挙げられる。中鎖脂肪酸トリグリセライドとしては、炭素数８〜１２の中鎖脂肪酸からなるトリグリセライドがより好ましく、炭素数８〜１０の中鎖脂肪酸由来の脂肪酸残基が８０質量％以上であるトリグリセライドがさらに好ましい。また、脂肪酸トリグリセライドの原料となる炭素数１３以上の脂肪酸としては、具体的には、ミリスチン酸（テトラデカン酸）、パルミチン酸（ヘキサデカン酸）、ステアリン酸（オクタデカン酸）、オレイン酸（ｃｉｓ−９−オクタデセン酸）、リノール酸（オクタデカジエン酸）、リノレン酸（オクタデカントリエン酸）、アラキジン酸（エイコサン酸）、エルカ酸（ドコセン酸）、ベヘン酸（ドコサン酸）等が挙げられる。
【００１８】
前記液状の食用油として用いられる中鎖脂肪酸トリグリセライドとしては、市販されているものをそのまま使用してもよい。例えば、日清オイリオグループ株式会社製の「Ｏ．Ｄ．Ｏ」（カプリル酸：カプリン酸＝７５：２５）、「スコレー６４Ｇ」（カプリル酸：カプリン酸＝６０：４０）、「スコレーＭＣ」（カプリル酸：カプリン酸＝８５：１５）「スコレー８」（カプリル酸＝９５％以上）等が好適に用いられる。
【００１９】
本発明に係るグリーススプレーにおいて、可食性組成物中におけるステアリン酸カルシウムと液状の食用油との含有量比（質量）は、１：１．１〜１：２．５の範囲内である。食用油に対するステアリン酸カルシウムの添加量が少なすぎる場合には、グリースとして充分な増ちょう効果が得られにくく、逆に添加量が多すぎる場合には、可食性組成物が固くなりすぎ、噴霧しにくくなるおそれがある。ステアリン酸カルシウムに対する液状の食用油をこの範囲内で混合することにより、食用油に対して充分量のステアリン酸カルシウムが配合される結果、可食性組成物の固さをグリースとして適度な範囲内に保つことができ、噴霧した際の飛び散りが良好であり、かつ液垂れもしにくいグリーススプレーが得られる。本発明に係るグリーススプレーとしては、可食性組成物中におけるステアリン酸カルシウムと液状の食用油との含有量比（質量）は、１：１．２〜１：２．１の範囲内であることが好ましく、１：１．２５〜１：２．０の範囲内であることがより好ましい。
【００２０】
本発明に係るグリーススプレーにおいて、可食性組成物中におけるステアリン酸カルシウム及び液状の食用油の和とエタノールとの含有量比（質量）は、１：０．２〜１：１の範囲内である。エタノールは、食用油とステアリン酸カルシウムからなるグリースを噴霧に適した粘度に希釈するために添加される希釈剤である。食用油とステアリン酸カルシウムの合計含有量に対するエタノールの含有量が少なすぎる場合には、可食性組成物の粘度が高くなりすぎ、泡立ちしやすくなるおそれがあり、逆に、エタノールの含有量が多すぎる場合には、粘度が低くなりすぎ、液垂れしやすくなるおそれがある。食用油とステアリン酸カルシウムの合計含有量に対するエタノールの含有量を前記範囲内となるように混合することにより、可食性組成物の粘度を適度な範囲内に調整することができ、泡立ちと液垂れの両方を効果的に抑制することができる。本発明に係るグリーススプレーとしては、可食性組成物中における食用油とステアリン酸カルシウムの合計含有量とエタノールとの含有量比（質量）が、１：０．２５〜１：０．８の範囲内であることが好ましく、１：０．２７〜１：０．７の範囲内であることがより好ましい。
【００２１】
本発明に係るグリーススプレーにおける可食性組成物は、前記食用油、ステアリン酸カルシウム、及びエタノールからなるものであってもよく、その他の可食性の物質を含有していてもよい。本発明に係るグリーススプレーとしては、可食性組成物に占める前記食用油、ステアリン酸カルシウム、及びエタノールの合計含有量の割合（質量比）が、８０％以上であることが好ましく、９０％以上であることがより好ましく、９５％以上であることがさらに好ましい。
【００２２】
本発明に係るグリーススプレーにおいて、可食性組成物中に含有し得るその他の可食性の物質としては、グリースやスプレー剤に一般的に配合される物質が挙げられる。例えば、食品や食品添加物として規定されている、香料；シリコーン油等の消泡剤；色素；ＢＨＴ、トコフェロール類、カロテン類、セサモール類、γ-オリザノール等の酸化防止剤；グリセリン脂肪酸エステルやショ糖脂肪酸エステル、ソルビタン脂肪酸エステル、プロピレングリコール脂肪酸エステル、レシチン、ポリソルベート等の乳化剤；増粘安定剤；比重調整剤；植物ワックスや動物ワックスなどの光沢剤等が挙げられる。
【００２３】
本発明に係るグリーススプレーは、前記可食性組成物とガスとからなる。当該ガスはグリースを充填容器から噴射させることを目的とし、炭酸ガス、窒素ガス、亜酸化窒素ガス、及びＬＰガスからなる群より選ばれる１種以上であることが好ましい。また、前記可食性組成物とガスとの含有量比（質量）は、１：１．２〜１：２．２の範囲内であることが好ましく、１：１．４〜１：２．０の範囲内であることがより好ましい。可食性組成物とガスの含有量比を当該範囲内にすることにより、容器内における可食性組成物の凝固が抑制される上に、泡立ちを抑制することができる。
【００２４】
本発明に係るグリーススプレーにおいて、可食性組成物は、前記食用油、ステアリン酸カルシウム、及びエタノール（必要に応じてその他の可食性の物質）を混合することにより調製される。本発明に係るグリーススプレーは、従来の単に金属石けんが配合されたグリースのようにステアリン酸カルシウムを繊維状にする必要がないため、エタノールの沸点未満の温度で、かつ常圧環境下でこれらを全て混合するだけで、容易に可食性組成物を調製し得る。調製時の温度は、前記食用油とエタノールが液状を維持できる温度であればよく、使用される食用油の凝固点等を考慮して決定されるが、通常は５０℃以下で撹拌される。また、予め、１００℃以下の温度で、前記食用油とステアリン酸カルシウムとを混合して均一に分散させた後、必要に応じてエタノールの沸点未満（好ましくは、５０℃以下）まで冷却して、得られた分散物とエタノールとを混合することによって可食性組成物を調製してもよい。ステアリン酸カルシウムをできるだけ均一に食用油中に分散させることが好ましいため、ディスパー、ホモミキサー、スターラー、プロペラなどで攪拌することが好ましい。
【００２５】
本発明に係るグリーススプレーは、前記食用油、ステアリン酸カルシウム、及びエタノール（必要に応じてその他の可食性の物質）を混合した可食性組成物を調製し、これを噴霧用容器内にガスと共に充填することにより製造される。噴霧用容器は１リットル以下が好ましい。充填後の液化ガスの圧力は３５℃で０．１〜０．８Ｍｐａが好ましく、０．３〜０．６Ｍｐａがより好ましい。噴霧用容器としては、原液とガスとを充填する容器本体と原液を噴射するバルブを備えており、エアゾール製品の充填に一般的に用いられているエアゾール缶、又はそれを適宜改良した容器を使用することができる。エアゾール缶のバルブは、噴霧状態への影響が大きいため、充填するグリーススプレー、特に可食性組成物中のステアリン酸カルシウムの粒径や含有割合、可食性組成物の粘度や固さ等を考慮して、選択することが好ましい。例えば、本発明に係るグリーススプレーが、ステアリン酸カルシウムが最大粒径が５００μｍ以下、平均粒径が１〜５０μｍであり、可食性組成物中におけるステアリン酸カルシウムと液状の食用油との含有量比（質量）は、１：１．１〜１：２．５の範囲内である場合には、バルブのステムの直径が０．３５〜０．４４ｍｍの範囲内にあるエアゾール缶に充填することが好ましい。
【実施例】
【００２６】
以下、本発明の実施例及び比較例を示し、本発明を更に詳しく説明するが、本発明はこれらに限定されるものではない。
【００２７】
［実施例１］
ステアリン酸カルシウム（ＳｔｅＣａ）、中鎖脂肪酸トリグリセライド（ＭＣＴ）、エタノール（ＥｔＯＨ）、及びＬＰガス（ＬＰＧ）を表１に示す仕込み比（質量比）にて含有するグリーススプレーを製造した。ステアリン酸カルシウムは、食品添加物グレードのもの（最大粒径：１００μｍ以下、平均粒径：５μｍ）を用い、ＭＣＴは、「スコレー６４Ｇ」（日清オイリオグループ株式会社製）を用い、エタノールは発酵エタノールを用いた。
具体的には、まず、ステアリン酸カルシウムとＭＣＴとエタノールを２５℃で混合して可食性組成物を調製した。次いで、この可食性組成物１０ｇを、ＬＰガスと共に１００ｍＬ容のエアゾール缶に充填し、グリーススプレーを製造した。
【００２８】
製造された各グリーススプレーを、床に水平に置いた平板と、床に垂直に立てた平板とにそれぞれ噴霧し、泡立ちや液垂れ、飛び散りを評価した上で、総合評価を行った。泡立ちと液垂れの評価基準を以下に示す。また、評価結果を表１に示す。
【００２９】
（泡立ちの評価基準）
◎：泡立ちが少なく、泡も消えやすい。
○：泡立ちがややあるが、泡が消えやすい。
△：泡立ちがややあり、泡も消えにくい。
×：泡立ちが著しく、泡も消えにくい。
【００３０】
（液垂れの評価基準）
◎：液垂れしない。
○：ほとんど液垂れしない。
△：若干液垂する。
×：液垂れが著しい。
【００３１】
【表１】
2014227515.tif 000002
【００３２】
この結果、ステアリン酸カルシウムと中鎖脂肪酸トリグリセライドの仕込み比が１：１である処方１のグリーススプレーは、泡立ちも液垂れもひどかった。また、エタノールを含有していない処方４のグリーススプレーは、液垂れは観察されず、良好であったが、泡立ちがひどかった。これに対して、ステアリン酸カルシウムと中鎖脂肪酸トリグリセライドの仕込み比が１：１．２５〜１：２である処方２、３、５、７〜８のグリーススプレーは、泡立ちと液垂れのいずれもほぼ観察されず、特に、ＭＣＴとステアリン酸カルシウムの合計含有量とエタノールの含有量の比が１：０．２５〜１：０．３５の範囲内である処方５、７〜９のグリーススプレーは、飛び散りも少なく、非常に好ましいものであった。一方で、ステアリン酸カルシウムと中鎖脂肪酸トリグリセライドとエタノールとからなる可食性組成物とＬＰガスとの含有量比（質量）が１：１である処方６のグリーススプレーは、当該可食性組成物とＬＰガスとの含有量比（質量）が１：２である処方５のグリーススプレーよりも泡立ちが極めて悪かった。
【００３３】
［実施例２］
実施例１における処方５の仕込み比で、バルブのステムの直径が０．４ｍｍ又は０．５ｍｍであり、バルブステムの下穴（ステム下方の、充填されたガスに開口している穴）の直径が１．５ｍｍ又は０．６ｍｍであり、バルブステムの横穴（バルブの噴出口付近に設けられた横穴）がない、又はその直径が０．３ｍｍ若しくは０．５ｍｍである、１００ｍＬ容のエアゾール缶に充填し、グリーススプレーを製造した。
【００３４】
製造された各グリーススプレーを、床に水平に置いた平板と、床に垂直に立てた平板とにそれぞれ噴霧し、泡立ちや液垂れ、飛び散り、ミストの発生を評価した上で、総合評価を行った。泡立ちと液垂れの評価基準は実施例１と同じである。また、飛び散りとミストの発生の評価基準を下記に示す。さらに、評価結果を表２に示す。
【００３５】
（飛び散りの評価基準）
○：適度な範囲に噴射物が付着する。
△：噴射物の付着範囲がやや広く、少しムラがある。
×：噴射物の付着範囲が広く、ムラがある。
【００３６】
（ミストの発生の評価基準）
○：ミストの発生が少ない。
△：ミストの発生がやや多い。
×：ミストの発生が著しい。
【００３７】
【表２】
2014227515.tif 000003
【００３８】
この結果、実施例１の処方５のグリーススプレーの場合には、ステムの直径が０．５ｍｍのエアゾール缶よりも、０．４ｍｍのエアゾール缶のほうが適していることがわかった。
【００３９】
［実施例３］
実施例１の処方５の配合比で、製造時の温度条件を変えて、３つのグリーススプレーを製造した。具体的には、まず、ステアリン酸カルシウムとＭＣＴとを８０℃、１００℃、又は１２０℃に加熱しながら混合して充分に撹拌した。次いで、この混合物を２５℃まで冷却させた後、エタノールを添加して充分に撹拌した。その後、得られた可食性組成物をＬＰガスと共に、実施例１と同様にして１００ｍＬのエアゾール缶に充填した。
この結果、８０℃又は１００℃に加温して調製したグリーススプレーは、実施例１と同様に特に問題なく製造できたが、ステアリン酸カルシウムの融点付近である１２０℃にまで加熱した状態でステアリン酸カルシウムをＭＣＴに分散させた後、エタノールを添加して製造したグリーススプレーでは、エタノールと混合した時にステアリン酸カルシウムが、ＭＣＴとエタノールの混合溶媒に分散せず、これを充填して得られたグリーススプレーは、均質な噴霧ができなかった。また、噴射物も滑らかなグリース状でなかった。